(57)【要約】  コモン電極駆動回路の出力段（１１）は、それぞれがコモン電極（１０３）に電圧を出力することが可能な複数のサブ出力段（１１ａ、１１ｂ）を備えており、各極性のコモン電極電位の各供給期間を複数の部分期間に分割して、各上記部分期間には上記部分期間ごとに選択された１つ以上のサブ出力段（１１ｂ）によって、コモン電極（１０３）に供給し、各極性のコモン電極電位の最終到達電位を供給する上記部分期間に選択される１つ以上のサブ出力段（１１ａ）からなる最終サブ出力段（１１ａ）の全体の負荷駆動能力よりも、コモン電極電位の極性反転動作の開始を含む上記部分期間に選択される１つ以上のサブ出力段（１１ｂ）からなる初期サブ出力段（１１ｂ）の全体の負荷駆動能力のほうが小さい。
2010095313.tif 000002
【特許請求の範囲】
【請求項１】
コモン反転駆動を行う表示装置であって、
コモン電極駆動回路の出力段は、
それぞれがコモン電極に電圧を出力することが可能な複数のサブ出力段を備えており、
各極性のコモン電極電位の各供給期間を複数の部分期間に分割して、各上記部分期間には上記部分期間ごとに選択された１つ以上のサブ出力段によって、コモン電極に電圧を供給し、
各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さいことを特徴とする表示装置。
【請求項２】
上記初期サブ出力段の全体の出力インピーダンスは、上記最終サブ出力段の全体の出力インピーダンスよりも大きいことを特徴とする請求項１に記載の表示装置。
【請求項３】
上記初期サブ出力段および上記最終サブ出力段は、トランジスタを用いたプッシュプル動作により電圧を出力するサブ出力段を含んでいることを特徴とする請求項２に記載の表示装置。
【請求項４】
各極性のコモン電極電位の各供給期間において、上記初期サブ出力段が出力する電圧の電源電圧は、上記最終到達電位よりも反対極性側に近いことを特徴とする請求項１に記載の表示装置。
【請求項５】
上記初期サブ出力段は、抵抗により分圧された電圧を出力するサブ出力段を含んでおり、
上記最終サブ出力段は、トランジスタを用いたプッシュプル動作により電圧を出力するサブ出力段を含んでいることを特徴とする請求項２に記載の表示装置。
【請求項６】
コモン反転駆動を行う表示装置の駆動方法であって、
それぞれがコモン電極に電圧を出力することが可能な複数のサブ出力段を備えており、
各極性のコモン電極電位の各供給期間を複数の部分期間に分割して、各上記部分期間には上記部分期間ごとに選択された、コモン電極駆動回路の出力段に備えられる１つ以上のサブ出力段によって、コモン電極に電圧を供給し、
各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さいことを特徴とする表示装置の駆動方法。
【請求項７】
上記初期サブ出力段の全体の出力インピーダンスは、上記最終サブ出力段の全体の出力インピーダンスよりも大きいことを特徴とする請求項６に記載の表示装置の駆動方法。
【請求項８】
上記初期サブ出力段および上記最終サブ出力段は、トランジスタを用いたプッシュプル動作により電圧を出力するサブ出力段を含んでいることを特徴とする請求項７に記載の表示装置の駆動方法。
【請求項９】
各極性のコモン電極電位の各供給期間において、上記初期サブ出力段が出力する電圧の電源電圧は、上記最終到達電位よりも反対極性側に近いことを特徴とする請求項６に記載の表示装置の駆動方法。
【請求項１０】
上記初期サブ出力段は、抵抗により分圧された電圧を出力するサブ出力段を含んでおり、
上記最終サブ出力段は、トランジスタを用いたプッシュプル動作により電圧を出力するサブ出力段を含んでいることを特徴とする請求項７に記載の表示装置の駆動方法。
【請求項１１】
コモン反転駆動を行う表示装置であって、
各極性のコモン電極電位の各供給期間において、コモン電極電位の極性反転が開始されてから、コモン電極電位の波形が、各極性のコモン電極電位の最終到達電位よりも反対極性側の途中の電位に一旦到達してから、上記途中の電位への到達時よりも大きい変化率で上記最終到達電位へ向かって立ち上がることを特徴とする表示装置。
【請求項１２】
コモン反転駆動を行う表示装置の駆動方法であって、
各極性のコモン電極電位の各供給期間において、コモン電極電位の極性反転が開始されてから、コモン電極電位を、各極性のコモン電極電位の最終到達電位よりも反対極性側の途中の電位に一旦到達してから、上記途中の電位への到達時よりも大きい変化率で上記最終到達電位へ向かって立ち上がる波形とすることを特徴とする表示装置の駆動方法。
【発明の詳細な説明】
【技術分野】
【０００１】
本発明は、コモン反転駆動を行う表示装置に関する。
【背景技術】
【０００２】
液晶表示装置にコモン反転駆動を行うものがある。コモン反転駆動は、交流駆動においてコモン電極電位を正負に反転させるものである。例えば図１０に示すように、ゲートバスライン反転駆動において、正極性データの階調基準電圧範囲Ｖｐと負極性データの階調基準電圧範囲Ｖｎとを互いに等しいものとし、コモン電極電位Ｖｃｏｍを当該階調基準電圧範囲よりも高い側の電圧レベルＶ１と低い側の電圧レベルＶ２との２値レベル間で１水平期間ごとに反転させる。正極性データを絵素に書き込む場合にはコモン電極電位Ｖｃｏｍを電圧レベルＶ２とし、負極性データを絵素に書き込む場合にはコモン電極電位Ｖｃｏｍを電圧レベルＶ１とする。【０００３】
コモン反転駆動によれば、正極性データと負極性データとの各階調基準電圧範囲を別々に用意しなくて済むので電源電圧を低くすることができる。また、階調基準電圧が正極性データと負極性データとに共通であるので、階調基準電圧を生成する回路の構成を簡略化することができる。【０００４】
コモン反転駆動を行う場合には、図９に示すような、コモン電極駆動回路の出力段１０１からコモン電極１０３にコモン電極電位Ｖｃｏｍが供給される。当該出力段１０１は、入力されるＨｉｇｈとＬｏｗとの間で切り替えられるコモン極性反転信号に従って、
高電位側の電圧レベルＶ１と低電位側の電圧レベルＶ２とを１水平期間ごとに切り替えて、ＣＯＭ出力端子１０２から出力する。コモン電極１０３はＣＯＭ出力端子１０２に接続されており、絵素電極１０４との間に液晶層を挟んで液晶容量ＣＬを形成するが、コモン電極１０３自身も容量を有している。従って、コモン反転駆動は、コモン電極駆動回路がこれらの容量を交互に正負に充電する動作となる。
【先行技術文献】
【特許文献】
【０００５】
【特許文献１】特開２００６−１７８０７２号公報（２００６年７月６日公開）
【特許文献２】特開平４−２８４４８９号公報（１９９２年１０月９日公開）
【発明の概要】
【発明が解決しようとする課題】
【０００６】
しかしながら、従来のコモン反転駆動では、図１０に示すように、コモン電極電位Ｖｃｏｍが反転する瞬間に、コモン電極１０３への電位供給経路に、大きなピークを有する充放電電流Ｉｃｏｍが発生するという問題がある。これは、図１１に示すように、コモン電極駆動回路のプッシュプル出力段からなる出力段１０１が備える、コモン電極電位Ｖｃｏｍの正極性側のｐチャネルの電界効果トランジスタからなる出力トランジスタＴｐおよび負極性側のｎチャネルの電界効果トランジスタからなる出力トランジスタＴｎのＯＮ抵抗が小さく、これらのＯＮ抵抗が出力段１０１の出力インピーダンスを支配しているからである。出力トランジスタＴｐ・Ｔｎはバイポーラトランジスタでもよい。コモン極性反転信号がＨｉｇｈレベルのときには出力トランジスタＴｎがＯＮ状態となり、コモン極性反転信号がＬｏｗレベルのときは出力トランジスタＴｐがＯＮ状態となる。この突入電流は放射ノイズの原因となる。【０００７】
従って、例えば、図１２に示すように、液晶表示装置が液晶パネル１１１上にギャップを介して静電容量方式のタッチパネル１１２を備えている場合には、タッチパネル１１２の検出動作において静電容量の変化を検出する信号を積分する処理を行うことから、タッチパネル１１２の検出動作が上記放射ノイズの影響を受けやすい。これにより、検出結果に放射ノイズに起因する誤差が発生してタッチパネル１１２の検出精度が低下し、顕著な感度低下が引き起こされる。【０００８】
図１３に示す特許文献１に記載の電源回路１００は、ＶＣＯＭＨ生成回路１１０（高電位側電圧生成回路）が高電位側入力電圧に基づいて高電位側電圧ＶＣＯＭを出力し、ＶＣＯＭＬ生成回路１２０（低電位側電圧生成回路）が低電位側入力電圧に基づいて低電位側電圧ＶＣＯＭを出力するものである。そして、この電源回路１００は、ＶＣＯＭＨ生成回路１１０およびＶＣＯＭＬ生成回路１２０によって、コモン電極電位の供給能力制御を行うことができるようになっている。コモン電極電位の極性反転や絵素電極への電圧印加により、コモン電極電位が降下する際には、コモン電極電位の供給能力を増大させ、その他のときには供給能力を低下させる。【０００９】
しかし、この特許文献１の電源回路１００は、コモン電極電位の降下が大きいときにはコモン電極電位の供給能力を増大させるため、突入電流のピークは大きい。従って、液晶パネルにタッチパネルを搭載した場合には、突入電流に起因する放射ノイズの影響が大きく、タッチパネルの検出精度は低下してしまう。【００１０】
また、図１４に示す特許文献２のプラズマディスプレイパネルの表示駆動回路は、Ｙ側ドライバ回路１２とＸ側ドライバ回路１３とで、マトリクス状に配置された容量性の表示セル１１を駆動する構成において、Ｙ側タイミングジェネレータ３２からトランジスタＱＹ１にＹ側印加パルスＹＳＵＳが、トランジスタＱＹ２にＹ側トライステートコントロール信号ＹＴＳＣが供給され、Ｘ側タイミングジェネレータ３３からトランジスタＱＸ１にＸ側印加パルスＸＳＵＳが、トランジスタＱＸ２にＸ側トライステートコントロール信号ＸＴＳＣが供給されるようになっている。ここで、トライステートコントロール信号ＹＴＳＣ・ＸＴＳＣは、それぞれ”Ｌ”のときにＹ側ドライバ回路１２およびＸ側ドライバ回路１３の出力が高インピーダンス状態になるように設定されている。【００１１】
図１４の表示駆動回路において、図１５に示すように、Ｙ側印加パルスＹＳＵＳあるいはＸ側印加パルスＸＳＵＳを印加する際に、それぞれのパルスの立ち上がりおよび立ち下がりに対応して、その直前にトライステートコントロール信号ＹＴＳＣあるいはＸＴＳＣを”Ｌ”としてＹ側ドライバ回路１２あるいはＸ側ドライバ回路１３の出力を高インピーダンス状態にして、表示セル１１の容量に流れる変位電流の電流レベルを下げる。さらに、パルスの立ち下がり時には、電流が抑制されている間にパルスが立ち下がるようにするとともに、対向電極ドライバ回路には高圧のＸ側印加パルスＸＳＵＳあるいはＹ側印加パルスＹＳＵＳを与えて、対向電極側のドライバ回路の出力を低インピーダンス状態とする。これにより、高圧の印加パルスの立ち下げ時に、スイッチングによる放射ノイズや放電電流によるグランドノイズを抑制することができる。【００１２】
当該表示駆動回路では、このようにして放射ノイズやグランドノイズを低減させるようにしている。しかしながら、このようなノイズ抑制方法は、プラズマディスプレイパネルの駆動方法には採用することができるが、液晶表示装置のコモン反転駆動に適用することはできない。また、この方法では電流の抑制を行うだけであるので、放電時間の長期化などの弊害が発生する。【００１３】
このように、従来のコモン反転駆動においては、コモン電極電位の反転時の放射ノイズを有効に抑制することができなかった。【００１４】
本発明は、上記従来の問題点に鑑みなされたものであり、その目的は、コモン電極電位の反転時の放射ノイズを有効に抑制することのできる表示装置、および、表示装置の駆動方法を実現することにある。
【課題を解決するための手段】
【００１５】
本発明の表示装置は、上記課題を解決するために、コモン反転駆動を行う表示装置であって、コモン電極駆動回路の出力段は、それぞれがコモン電極に電圧を出力することが可能な複数のサブ出力段を備えており、各極性のコモン電極電位の各供給期間を複数の部分期間に分割して、各上記部分期間には上記部分期間ごとに選択された１つ以上のサブ出力段によって、コモン電極に電圧を供給し、各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さいことを特徴としている。【００１６】
上記の発明によれば、コモン電極に流れる電流として、初期サブ出力段により電圧が出力される部分期間を含み、コモン電極電位の極性が反転する遷移時間に含まれる部分期間の各期間の開始タイミングに、大きさが抑制されたピークを有する電流のみが流れるようになる。【００１７】
従って、従来のような、コモン反転時の大きなコモン電極の充放電電流に起因した放射ノイズが発生することを抑制することができる。【００１８】
以上により、コモン電極電位の反転時の放射ノイズを有効に抑制することのできる表示装置を実現することができるという効果を奏する。【００１９】
本発明の表示装置の駆動方法は、上記課題を解決するために、コモン反転駆動を行う表示装置の駆動方法であって、それぞれがコモン電極に電圧を出力することが可能な複数のサブ出力段を備えており、各極性のコモン電極電位の各供給期間を複数の部分期間に分割して、各上記部分期間には上記部分期間ごとに選択された、コモン電極駆動回路の出力段に備えられる１つ以上のサブ出力段によって、コモン電極に電圧を供給し、各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さいことを特徴としている。【００２０】
上記の発明によれば、コモン電極に流れる電流として、初期サブ出力段により電圧が出力される部分期間を含み、コモン電極電位の極性が反転する遷移時間に含まれる部分期間の各期間の開始タイミングに、大きさが抑制されたピークを有する電流のみが流れるようになる。【００２１】
従って、従来のような、コモン反転時の大きなコモン電極の充放電電流に起因した放射ノイズが発生することを抑制することができる。【００２２】
以上により、コモン電極電位の反転時の放射ノイズを有効に抑制することのできる表示装置の駆動方法を実現することができるという効果を奏する。【００２３】
本発明の表示装置は、上記課題を解決するために、コモン反転駆動を行う表示装置であって、各極性のコモン電極電位の各供給期間において、コモン電極電位の極性反転が開始されてから、コモン電極電位の波形が、各極性のコモン電極電位の最終到達電位よりも反対極性側の途中の電位に一旦到達してから、上記途中の電位への到達時よりも大きい変化率で上記最終到達電位へ向かって立ち上がることを特徴としている。【００２４】
上記の発明によれば、コモン電極に流れる電流として、コモン電極電位の極性が反転する遷移時間に、大きさが抑制されたピークを有する電流のみが流れるようになる。【００２５】
従って、従来のような、コモン反転時の大きなコモン電極の充放電電流に起因した放射ノイズが発生することを抑制することができる。【００２６】
以上により、コモン電極電位の反転時の放射ノイズを有効に抑制することのできる表示装置を実現することができるという効果を奏する。【００２７】
本発明の表示装置の駆動方法は、上記課題を解決するために、コモン反転駆動を行う表示装置の駆動方法であって、各極性のコモン電極電位の各供給期間において、コモン電極電位の極性反転が開始されてから、コモン電極電位を、各極性のコモン電極電位の最終到達電位よりも反対極性側の途中の電位に一旦到達してから、上記途中の電位への到達時よりも大きい変化率で上記最終到達電位へ向かって立ち上がる波形とすることを特徴としている。【００２８】
上記の発明によれば、コモン電極に流れる電流として、コモン電極電位の極性が反転する遷移時間に、大きさが抑制されたピークを有する電流のみが流れるようになる。【００２９】
従って、従来のような、コモン反転時の大きなコモン電極の充放電電流に起因した放射ノイズが発生することを抑制することができる。【００３０】
以上により、コモン電極電位の反転時の放射ノイズを有効に抑制することのできる表示装置の駆動方法を実現することができるという効果を奏する。
【発明の効果】
【００３１】
本発明の表示装置は、以上のように、コモン反転駆動を行う表示装置であって、コモン電極駆動回路の出力段は、それぞれがコモン電極に電圧を出力することが可能な複数のサブ出力段を備えており、各極性のコモン電極電位の各供給期間を複数の部分期間に分割して、各上記部分期間には上記部分期間ごとに選択された１つ以上のサブ出力段によって、コモン電極に電圧を供給し、各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さい。【００３２】
以上により、コモン電極電位の反転時の放射ノイズを有効に抑制することのできる表示装置を実現することができるという効果を奏する。【００３３】
本発明の表示装置の駆動方法は、以上のように、コモン反転駆動を行う表示装置の駆動方法であって、それぞれがコモン電極に電圧を出力することが可能な複数のサブ出力段を備えており、各極性のコモン電極電位の各供給期間を複数の部分期間に分割して、各上記部分期間には上記部分期間ごとに選択された、コモン電極駆動回路の出力段に備えられる１つ以上のサブ出力段によって、コモン電極に電圧を供給し、各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さい。【００３４】
以上により、コモン電極電位の反転時の放射ノイズを有効に抑制することのできる表示装置の駆動方法を実現することができるという効果を奏する。
【図面の簡単な説明】
【００３５】
【図１】本発明の実施形態を示すものであり、コモン電極駆動回路の出力段の第１の構成を示す回路ブロック図である。
【図２】図１の出力段の動作波形を示す波形図である。
【図３】本発明の実施形態を示すものであり、表示装置の構成を示すブロック図である。
【図４】本発明の実施形態を示すものであり、コモン電極駆動回路の出力段の第２の構成を示す回路ブロック図である。
【図５】図４の出力段の動作波形を示す波形図である。
【図６】本発明の実施形態を示すものであり、コモン電極駆動回路の出力段の第３の構成を示す回路ブロック図である。
【図７】本発明の実施形態を示すものであり、コモン電極駆動回路の出力段の第４の構成を示す回路ブロック図である。
【図８】図７の出力段の動作波形を示す波形図である。
【図９】従来技術を示すものであり、コモン電極駆動回路の出力段の構成を示す回路ブロック図である。
【図１０】図９のコモン電極駆動回路の動作波形を示す波形図である。
【図１１】図９のコモン電極駆動回路の出力段の構成を詳細に示す回路図である。
【図１２】従来技術を示すものであり、タッチパネルを搭載した液晶表示装置の構成を示す断面図である。
【図１３】従来技術を示すものであり、コモン電極駆動回路の他の構成例を示す回路ブロック図である。
【図１４】従来技術を示すものであり、プラズマディスプレイパネルの表示駆動回路の構成を示す回路ブロック図である。
【図１５】図１４の表示駆動回路の動作波形を示す波形図である。
【発明を実施するための形態】
【００３６】
本発明の実施形態について、図１〜図８を用いて説明すれば以下の通りである。
【００３７】
図３に、本実施形態に係る液晶表示装置（表示装置）１の構成を示す。
【００３８】
液晶表示装置１はアクティブマトリクス型の表示装置であり、走査信号線駆動回路としてのゲートドライバ３と、データ信号線駆動回路としてのソースドライバ４と、表示部２と、ゲートドライバ３およびソースドライバ４を制御するための表示制御回路５と、電源回路６とを備えている。この液晶表示装置１は、交流駆動としてゲートライン反転駆動や、複数行ずつ極性を反転する駆動などの、各行について、全ての絵素のデータ極性が同じ水平期間中は互いに同じである駆動を行う。そして、さらに、正極性データをパネルに供給する期間と負極性データをパネルに供給する期間とで、互いにコモン電極電位の極性を反転させるコモン反転駆動を行う。
【００３９】
表示部２は、複数本（ｍ本）の走査信号線としてのゲートラインＧＬ１〜ＧＬｍと、それらのゲートラインＧＬ１〜ＧＬｍのそれぞれと交差する複数本（ｎ本）のデータ信号線としてのソースラインＳＬ１〜ＳＬｎと、それらのゲートラインＧＬ１〜ＧＬｍとソースラインＳＬ１〜ＳＬｎとの交差点にそれぞれ対応して設けられた複数個（ｍ×ｎ個）の絵素ＰＩＸ…とを含む。また、ここでは図示しないが、表示部２は、ゲートラインＧＬ１〜ＧＬｍと平行に保持容量配線ＣＳＬ…を備えており、当該方向に並んだｎ個の絵素からなる各絵素行に１本の保持容量配線ＣＳＬが割り当てられている。
【００４０】
複数の絵素ＰＩＸ…はマトリクス状に配置されて絵素アレイを構成し、各絵素ＰＩＸは、ＴＦＴ１４と、液晶容量ＣＬと、保持容量Ｃｓとを備えている。ＴＦＴ１４のゲート電極はゲートラインＧＬｊ（１≦ｊ≦ｍ）に、ソース電極はソースラインＳＬｉ（１≦ｉ≦ｎ）に、ドレイン電極は絵素電極にそれぞれ接続されている。液晶容量ＣＬは、絵素電極と、絵素電極に対向するコモン電極と、それらの間に挟持された液晶層とから構成されている。コモン電極には電源回路６からコモン電極電位Ｖｃｏｍが印加される。保持容量配線ＣＳＬ…には、電源回路６から保持容量電位Ｖｃｓが印加される。液晶容量ＣＬと保持容量Ｃｓとは絵素容量を構成しているが、絵素容量を構成する他の容量として、絵素電極と周辺配線との間に形成される寄生容量も存在する。
【００４１】
表示制御回路５は、ゲートドライバ３にゲートスタートパルスＧＳＰおよびゲートクロック信号ＧＣＫを供給するとともに、ソースドライバ４にソーススタートパルスＳＳＰ、ソースクロック信号ＳＣＫ、および、表示データＤＡを供給する。電源回路６は、ソースドライバ４に階調基準電圧を生成して供給する他、前記コモン電極電位Ｖｃｏｍおよび保持容量電位Ｖｃｓを生成して出力する。
【００４２】
次に、図３の電源回路６に備えられるコモン電極駆動回路の構成について、以下に実施例を挙げて説明する。なお、以下の各実施例において、ＣＯＭ出力端子１０２と、液晶層がコモン電極１０３と絵素電極１０４との間に配置されてなる液晶容量ＣＬとの接続関係については、図９のものと同様であるとする。
【実施例１】
【００４３】
図１に、本実施例に係るコモン電極駆動回路の出力段１１の構成を示す。【００４４】
出力段１１は、第１出力段（サブ出力段、最終サブ出力段）１１ａ、第１スイッチＳＷａ、第２出力段（サブ出力段、初期サブ出力段）１１ｂ、および、第２スイッチＳＷｂを備えている。【００４５】
第１出力段１１ａと第２出力段１１ｂとのそれぞれは、図１１と同様に、出力トランジスタＴｐ・Ｔｎにより構成されている。【００４６】
但し、第２出力段１１ｂの出力トランジスタＴｐは第１出力段１１ａの出力トランジスタＴｐよりもＯＮ抵抗が大きく、第２出力段１１ｂの出力トランジスタＴｎは第１出力段１１ａの出力トランジスタＴｎよりもＯＮ抵抗が大きく設定されている。上記ＯＮ抵抗を大きくするには、トランジスタのチャネル幅Ｗを小さくしたり、チャネル長Ｌを大きくしたりすることにより実現することができる。これにより、第２出力段１１ｂの出力インピーダンスは、第１出力段１１ａの出力インピーダンスよりも大きくなっている。すなわち、第２出力段１１ｂは第１出力段１１ａよりも負荷駆動能力が小さい。【００４７】
第１出力段１１ａの出力と第２出力段１１ｂの出力とは、共にＣＯＭ出力端子１０２に接続されている。第１出力段１１ａと第２出力段１１ｂとは、共に、出力トランジスタＴｐを介して正極性のコモン電極電位Ｖｃｏｍである電圧レベルＶ１を出力し、出力トランジスタＴｎを介して負極性のコモン電極電位Ｖｃｏｍである電圧レベルＶ２（Ｖ２＜Ｖ１）を出力する。【００４８】
第１スイッチＳＷａは、第１出力段１１ａに対して第１出力段１１ａの入力側に直列に接続されており、制御信号ｓ１に従って第１出力段１１ａへのコモン極性反転信号の入力のＯＮ／ＯＦＦを行う。第２スイッチＳＷｂは第２出力段１１ｂに対して第２出力段１１ｂの入力側に直列に接続されており、制御信号ｓ１に従って、第２出力段１１ｂへのコモン極性反転信号の入力のＯＮ／ＯＦＦを行う。【００４９】
第１スイッチＳＷａの第１出力段１１ａの入力側とは反対側の端子と、第２スイッチＳＷｂの第２出力段１１ｂの入力側とは反対側の端子とは、共にコモン極性反転信号の供給元に接続されている。【００５０】
図２に、上記構成の出力段１１の動作波形を示す。【００５１】
出力段１１は、入力されるコモン極性反転信号および制御信号ｓ１に従って、ＣＯＭ出力端子１０２にコモン電極電位Ｖｃｏｍを供給する。コモン極性反転信号（図示せず）はそれぞれが１水平期間に等しいＨｉｇｈ期間とＬｏｗ期間とからなり、Ｈｉｇｈ期間とＬｏｗ期間とのうちのいずれか一方の期間がコモン電極電位Ｖｃｏｍを正極性（電圧レベルＶ１）とする指示を行い、他方の期間がコモン電極電位Ｖｃｏｍを負極性（電圧レベルＶ２）とする指示を行う。【００５２】
制御信号ｓ１は、コモン電極電位Ｖｃｏｍが正極性となる各水平期間の最初の期間（部分期間）ｔ１にＨｉｇｈレベルとなるとともに、当該水平期間の残りの期間（部分期間）ｔ２にＬｏｗレベルとなる波形を有しており、コモン電極電位Ｖｃｏｍが負極性となる各水平期間の最初の期間（部分期間）ｔ３にＨｉｇｈレベルとなるとともに、当該水平期間の残りの期間（部分期間）ｔ４にＬｏｗレベルとなる波形を有している。ここでｔ１＝ｔ３、ｔ２＝ｔ４である。第１スイッチＳＷａは、制御信号ｓ１がＬｏｗレベルであるときにＯＮ状態となり、制御信号ｓ１がＨｉｇｈレベルであるときにＯＦＦ状態となる。第２スイッチＳＷａは、制御信号ｓ１がＨｉｇｈレベルであるときにＯＮ状態となり、制御信号ｓ１がＬｏｗレベルであるときにＯＦＦ状態となる。【００５３】
すなわち、期間ｔ１・ｔ３には第２スイッチＳＷｂがＯＮ状態になるとともに、第１スイッチＳＷａがＯＦＦ状態になり、期間ｔ２・ｔ４には第１スイッチＳＷａがＯＮ状態になるとともに、第２スイッチＳＷｂがＯＦＦ状態になる。これにより、期間（極性反転動作の開始を含む部分期間）ｔ１・ｔ３においては第２出力段１１ｂからの出力によってコモン電極電位Ｖｃｏｍが供給され、期間ｔ２・ｔ４においては第１出力段１１ａからの出力によってコモン電極電位Ｖｃｏｍが供給される。【００５４】
このように、本実施例では、各極性のコモン電極電位の各供給期間は複数の部分期間に分割されている。【００５５】
第２出力段１１ｂは第１出力段１１ａよりも出力インピーダンスが大きいことにより負荷駆動能力が小さいので、期間ｔ１・ｔ３におけるコモン電極電位Ｖｃｏｍの波形変化の時定数は、期間ｔ２・ｔ４におけるコモン電極電位Ｖｃｏｍの波形変化の時定数よりも大きい。従って、正極性のコモン電極電位Ｖｃｏｍを供給するときには、期間ｔ１で途中の第１の電位レベルまで緩慢に立ち上がり、続いて期間ｔ２で迅速に立ち上がって最終電位レベルである電圧レベルＶ１に達する。正極性のコモン電極電位Ｖｃｏｍの立ち下がりは負極性のコモン電極電位Ｖｃｏｍの立ち上がりに等しく、期間ｔ３で途中の第２の電位レベルまで緩慢に立ち下がって（負極性にとっては立ち上がって）、続いて期間ｔ４で迅速に立ち下がって（負極性にとっては立ち上がって）最終電位レベルである電圧レベルＶ２に達する。また、負極性のコモン電極電位Ｖｃｏｍの立ち下がりは正極性のコモン電極電位Ｖｃｏｍの立ち上がりに等しい。【００５６】
この結果、コモン電極電流Ｉｃｏｍとして、コモン電極電位Ｖｃｏｍの極性が反転する遷移時間に含まれる期間ｔ１〜ｔ４の各期間の開始タイミングに、大きさが抑制されたピークを有する電流のみが流れるようになる。【００５７】
従って、従来のような、コモン反転時の大きなコモン電極の充放電電流に起因した放射ノイズが発生することを抑制することができる。【００５８】
なお、図２では、結果として、コモン電極電位Ｖｃｏｍの波形は、各極性のコモン電極電位Ｖｃｏｍの各供給期間において、コモン電極電位Ｖｃｏｍの極性反転が開始されてから、コモン電極電位Ｖｃｏｍの波形が、各極性のコモン電極電位Ｖｃｏｍの最終到達電位よりも反対極性側の途中の電位に一旦到達してから、上記途中の電位への到達時よりも大きい変化率で上記最終到達電位へ向かって立ち上がる。【００５９】
また、絵素ＰＩＸのＴＦＴ１４をＯＮ状態にする走査信号Ｖｇは、期間ｔ２・ｔ４のそれぞれの期間内でのみＨｉｇｈレベルとなるパルス波形である。すなわち、絵素ＰＩＸへのデータ書き込み期間は、期間ｔ２・ｔ４のそれぞれの期間内に設定される。
【実施例２】
【００６０】
図４に、本実施例に係るコモン電極駆動回路の出力段１２の構成を示す。【００６１】
出力段１２は、第１出力段（サブ出力段、最終サブ出力段）１２ａ、第１スイッチＳＷｄ、第２出力段（サブ出力段、初期サブ出力段）１２ｂ、および、第２スイッチＳＷｅを備えている。【００６２】
第１出力段１２ａと第２出力段１２ｂとのそれぞれは、図１１と同様に、出力トランジスタＴｐ・Ｔｎにより構成されている。【００６３】
但し、第１出力段１２ａは、出力トランジスタＴｐを介して正極性のコモン電極電位Ｖｃｏｍである電圧レベルＶ１を出力し、出力トランジスタＴｎを介して負極性のコモン電極電位Ｖｃｏｍである電圧レベルＶ２を出力するとともに、第２出力段１２ｂは、出力トランジスタＴｐを介して正極性のコモン電極電位Ｖｃｏｍである電圧レベルＶ３を出力し、出力トランジスタＴｎを介して負極性のコモン電極電位Ｖｃｏｍである電圧レベルＶ４を出力する。ここで、Ｖ１＞Ｖ３＞Ｖ４＞Ｖ２である。電圧レベルＶ３は電圧レベルＶ１よりも、反対極性側である電圧レベルＶ２側に近く、電圧レベルＶ４は電圧レベルＶ２よりも、反対極性側である電圧レベルＶ１側に近い。これにより、第２出力段１２ｂがコモン電極１０３に与える充電のための電位変化が第１出力段１２ａよりも小さくなるので、第２出力段１２ｂは第１出力段１２ａよりも負荷駆動能力が小さい。【００６４】
第１出力段１２ａの出力と第２出力段１２ｂの出力とは、共にＣＯＭ出力端子１０２に接続されている。【００６５】
第１スイッチＳＷｄは、第１出力段１２ａに対して第１出力段１２ａの入力側に直列に接続されており、制御信号ｓ２に従って第１出力段１２ａへのコモン極性反転信号の入力のＯＮ／ＯＦＦを行う。第２スイッチＳＷｅは第２出力段１２ｂに対して第２出力段１１ｂの入力側に直列に接続されており、制御信号ｓ２に従って、第２出力段１２ｂへのコモン極性反転信号の入力のＯＮ／ＯＦＦを行う。【００６６】
第１スイッチＳＷｄの第１出力段１２ａの入力側とは反対側の端子と、第２スイッチＳＷｅの第２出力段１２ｂの入力側とは反対側の端子とは、共にコモン極性反転信号の供給元に接続されている。【００６７】
図５に、上記構成の出力段１２の動作波形を示す。【００６８】
出力段１２は、入力されるコモン極性反転信号および制御信号ｓ２に従って、ＣＯＭ出力端子１０２にコモン電極電位Ｖｃｏｍを供給する。コモン極性反転信号（図示せず）はそれぞれが１水平期間に等しいＨｉｇｈ期間とＬｏｗ期間とからなり、Ｈｉｇｈ期間とＬｏｗ期間とのうちのいずれか一方の期間がコモン電極電位Ｖｃｏｍを正極性（電圧レベルＶ１）とする指示を行い、他方の期間がコモン電極電位Ｖｃｏｍを負極性（電圧レベルＶ２）とする指示を行う。【００６９】
制御信号ｓ２は、コモン電極電位Ｖｃｏｍが正極性となる各水平期間の最初の期間（部分期間）ｔ１にＨｉｇｈレベルとなるとともに、当該水平期間の残りの期間（部分期間）ｔ２にＬｏｗレベルとなる波形を有しており、コモン電極電位Ｖｃｏｍが負極性となる各水平期間の最初の期間（部分期間）ｔ３にＨｉｇｈレベルとなるとともに、当該水平期間の残りの期間（部分期間）ｔ４にＬｏｗレベルとなる波形を有している。ここでｔ１＝ｔ３、ｔ２＝ｔ４である。第１スイッチＳＷｄは、制御信号ｓ２がＬｏｗレベルであるときにＯＮ状態となり、制御信号ｓ２がＨｉｇｈレベルであるときにＯＦＦ状態となる。第２スイッチＳＷｅは、制御信号ｓ２がＨｉｇｈレベルであるときにＯＮ状態となり、制御信号ｓ２がＬｏｗレベルであるときにＯＦＦ状態となる。【００７０】
すなわち、期間ｔ１・ｔ３には第２スイッチＳＷｅがＯＮ状態になるとともに、第１スイッチＳＷｄがＯＦＦ状態になり、期間ｔ２・ｔ４には第１スイッチＳＷｄがＯＮ状態になるとともに、第２スイッチＳＷｅがＯＦＦ状態になる。これにより、期間（極性反転動作の開始を含む部分期間）ｔ１・ｔ３においては第２出力段１２ｂからの出力によってコモン電極電位Ｖｃｏｍが供給され、期間ｔ２・ｔ４においては第１出力段１２ａからの出力によってコモン電極電位Ｖｃｏｍが供給される。【００７１】
このように、本実施例では、各極性のコモン電極電位の各供給期間は複数の部分期間に分割されている。【００７２】
第２出力段１２ｂは第１出力段１２ａよりも電源電圧が小さいことにより負荷駆動能力が小さいので、期間ｔ１・ｔ３におけるコモン電極電位Ｖｃｏｍの波形変化の時定数は、期間ｔ２・ｔ４におけるコモン電極電位Ｖｃｏｍの波形変化の時定数と等しいが、期間ｔ２・ｔ４よりも可能な最終到達電圧が小さい。従って、正極性のコモン電極電位Ｖｃｏｍを供給するときには、期間ｔ１で電圧レベルＶ３まで小さく立ち上がり、続いて期間ｔ２で最終電位レベルである電圧レベルＶ１に達する。正極性のコモン電極電位Ｖｃｏｍの立ち下がりは負極性のコモン電極電位Ｖｃｏｍの立ち上がりに等しく、期間ｔ３で電圧レベルＶ４まで小さく立ち下がって（負極性にとっては立ち上がって）、続いて期間ｔ４で最終電位レベルである電圧レベルＶ２に達する。また、負極性のコモン電極電位Ｖｃｏｍの立ち下がりは正極性のコモン電極電位Ｖｃｏｍの立ち上がりに等しい。【００７３】
この結果、コモン電極電流Ｉｃｏｍとして、コモン電極電位Ｖｃｏｍの極性が反転する遷移時間に含まれる期間ｔ１〜ｔ４の各期間の開始タイミングに、大きさが抑制されたピークを有する電流のみが流れるようになる。【００７４】
従って、従来のような、コモン反転時の大きなコモン電極の充放電電流に起因した放射ノイズが発生することを抑制することができる。【００７５】
なお、図５では、結果として、コモン電極電位Ｖｃｏｍの波形は、各極性のコモン電極電位Ｖｃｏｍの各供給期間において、コモン電極電位Ｖｃｏｍの極性反転が開始されてから、コモン電極電位Ｖｃｏｍの波形が、各極性のコモン電極電位Ｖｃｏｍの最終到達電位よりも反対極性側の途中の電位に一旦到達してから、上記途中の電位への到達時よりも大きい変化率で上記最終到達電位へ向かって立ち上がる。【００７６】
また、絵素ＰＩＸのＴＦＴ１４をＯＮ状態にする走査信号Ｖｇは、期間ｔ２・ｔ４のそれぞれの期間内でのみＨｉｇｈレベルとなるパルス波形である。すなわち、絵素ＰＩＸへのデータ書き込み期間は、期間ｔ２・ｔ４のそれぞれの期間内に設定される。
【実施例３】
【００７７】
図６に、本実施例に係るコモン電極駆動回路の出力段１３の構成を示す。【００７８】
出力段１３は、第１出力段（サブ出力段、最終サブ出力段）１３ａ、第１スイッチＳＷｆ、第２出力段（サブ出力段）１３ｂ、第２スイッチＳＷｇ、第３出力段（サブ出力段、初期サブ出力段）１３ｃ、および、第３スイッチＳＷｈを備えている。【００７９】
第１出力段１３ａと第２出力段１３ｂと第３出力段１３ｃとのそれぞれは、図１１と同様に、出力トランジスタＴｐ・Ｔｎにより構成されている。【００８０】
但し、第１出力段１３ａは、出力トランジスタＴｐを介して正極性のコモン電極電位Ｖｃｏｍである電圧レベルＶ１を出力し、出力トランジスタＴｎを介して負極性のコモン電極電位Ｖｃｏｍである電圧レベルＶ２を出力する。第２出力段１３ｂは、出力トランジスタＴｐを介して正極性のコモン電極電位Ｖｃｏｍである電圧レベルＶ３を出力し、出力トランジスタＴｎを介して負極性のコモン電極電位Ｖｃｏｍである電圧レベルＶ４を出力する。第３出力段１３ｃは、出力トランジスタＴｐを介して正極性のコモン電極電位Ｖｃｏｍである電圧レベルＶ５を出力し、出力トランジスタＴｎを介して負極性のコモン電極電位Ｖｃｏｍである電圧レベルＶ６を出力する。【００８１】
第１出力段１３ａの出力と第２出力段１３ｂの出力と第３出力段１３ｃの出力とは、共にＣＯＭ出力端子１０２に接続されている。【００８２】
第１スイッチＳＷｆは、第１出力段１３ａに対して第１出力段１３ａの入力側に直列に接続されており、制御信号ｓ３に従って第１出力段１３ａへのコモン極性反転信号の入力のＯＮ／ＯＦＦを行う。第２スイッチＳＷｇは第２出力段１３ｂに対して第２出力段１３ｂの入力側に直列に接続されており、制御信号ｓ３に従って、第２出力段１３ｂへのコモン極性反転信号の入力のＯＮ／ＯＦＦを行う。第３スイッチＳＷｈは、第３出力段１３ｃに対して第３出力段１３ｃの入力側に直列に接続されており、制御信号ｓ３に従って第３出力段１３ｃへのコモン極性反転信号の入力のＯＮ／ＯＦＦを行う。【００８３】
（１）ここで、まずＶ１＝Ｖ３＝Ｖ５＞Ｖ２＝Ｖ４＝Ｖ６とする。【００８４】
また、第２出力段１３ｂの出力トランジスタＴｐは第１出力段１３ａの出力トランジスタＴｐよりもＯＮ抵抗が大きく、第２出力段１３ｂの出力トランジスタＴｎは第１出力段１３ａの出力トランジスタＴｎよりもＯＮ抵抗が大きく設定されている。第３出力段１３ｃの出力トランジスタＴｐは第２出力段１３ｂの出力トランジスタＴｐよりもＯＮ抵抗が大きく、第３出力段１３ｃの出力トランジスタＴｎは第２出力段１３ｂの出力トランジスタＴｎよりもＯＮ抵抗が大きく設定されている。上記ＯＮ抵抗を大きくするには、トランジスタのチャネル幅Ｗを小さくしたり、チャネル長Ｌを大きくしたりすることにより実現することができる。これにより、第２出力段１３ｂの出力インピーダンスは、第１出力段１３ａの出力インピーダンスよりも大きく、第３出力段１３ｃの出力インピーダンスは、第２出力段１３ｂの出力インピーダンスよりも大きくなっている。すなわち、第２出力段１３ｂは第１出力段１３ａよりも負荷駆動能力が小さく、第３出力段１３ｃは第２出力段１３ｂよりも負荷駆動能力が小さい。【００８５】
この場合に、各水平期間において、第３スイッチＳＷｈ、第２スイッチＳＷｇ、第１スイッチＳＷｆの順に、選択的にスイッチをＯＮ状態としていくと、コモン電極電位Ｖｃｏｍは、第３出力段１３ｃ、第２出力段１３ｂ、第１出力段１３ａという負荷駆動能力の小さい順で供給される。従って、コモン電極電流Ｉｃｏｍとして大きさが抑制されたピークを有する電流のみが流れるようになる。【００８６】
従って、従来のような、コモン反転時の大きなコモン電極の充放電電流に起因した放射ノイズが発生することを抑制することができる。【００８７】
なお、出力段１３は、上記のものに限らず、一般に第１出力段から第ｎ出力段（ｎは２以上の整数）まで備えていてよい。また、第１出力段から第ｎ出力段のうちの複数が同じ出力インピーダンス、すなわち同じ負荷駆動能力を有していてもよい。また、第１出力段から第ｎ出力段のうちの複数が同時にコモン電極電位Ｖｃｏｍを供給するようにしてもよい。一般に、第１出力段から第ｎ出力段のうち、各極性のコモン電極電位Ｖｃｏｍの最終到達電位を供給する１つ以上の出力段の各負荷駆動能力の合計である全体の負荷駆動能力よりも、全体の負荷駆動能力が小さくなるような１つ以上の出力段によって、コモン電極電位の極性反転動作を開始するようにすればよい。極性反転動作の開始を含む部分期間と、最終到達電位を供給する部分期間との間の期間における負荷駆動能力の大小関係は特に規定されない。各出力段の負荷駆動能力の合計は、各出力段が同じ負荷に対して出力することのできる電流の和で表すことができる。【００８８】
（２）次に、Ｖ１＞Ｖ３＞Ｖ５＞Ｖ６＞Ｖ４＞Ｖ２とする。【００８９】
この場合には、コモン電極電位Ｖｃｏｍの電源電圧の大小によって、第２出力段１３ｂは第１出力段１３ａよりも負荷駆動能力が小さく、第３出力段１３ｃは第２出力段１３ｂよりも負荷駆動能力が小さくなる。【００９０】
この場合に、各水平期間において、第３スイッチＳＷｈ、第２スイッチＳＷｇ、第１スイッチＳＷｆの順に、選択的にスイッチをＯＮ状態としていくと、コモン電極電位Ｖｃｏｍは、第３出力段１３ｃ、第２出力段１３ｂ、第１出力段１３ａという負荷駆動能力の小さい順で供給される。従って、コモン電極電流Ｉｃｏｍとして大きさが抑制されたピークを有する電流のみが流れるようになる。【００９１】
従って、従来のような、コモン反転時の大きなコモン電極の充放電電流に起因した放射ノイズが発生することを抑制することができる。【００９２】
なお、出力段１３は、上記のものに限らず、一般に第１出力段から第ｎ出力段（ｎは２以上の整数）まで備えていてよい。また、第１出力段から第ｎ出力段のうちの複数が同じ、コモン電極電位の電源電圧、すなわち同じ負荷駆動能力を有していてもよい。また、第１出力段から第ｎ出力段のうちの同じ上記電源電圧を有する複数のものが同時にコモン電極電位Ｖｃｏｍを供給するようにしてもよい。一般に、第１出力段から第ｎ出力段のうち、各極性のコモン電極電位Ｖｃｏｍの最終到達電位を供給する１つ以上の出力段の各負荷駆動能力の合計である全体の負荷駆動能力よりも、全体の負荷駆動能力が小さくなるような１つ以上の出力段によって、コモン電極電位の極性反転動作を開始するようにすればよい。極性反転動作の開始を含む期間と、最終到達電位を供給する期間との間の期間における負荷駆動能力の大小関係は特に規定されない。各出力段の負荷駆動能力の合計は、各出力段が同じ負荷に対して出力することのできる電流の和で表すことができる。【００９３】
なお、上記（１）と（２）とを組み合わせてもよい。
【実施例４】
【００９４】
図７に、本実施例に係るコモン電極駆動回路の出力段１４の構成を示す。【００９５】
出力段１４は、第１出力段（サブ出力段、最終サブ出力段）１４ａ、第１スイッチＳＷｉ、第２出力段（サブ出力段、初期サブ出力段）１４ｂ、および、第２スイッチＳＷｊを備えている。第２出力段１４ｂは、抵抗Ｒ１と抵抗Ｒ２とが電圧レベルＶ１と電圧レベルＶ２（Ｖ２＜Ｖ１）とを分圧するように直列に接続された分圧回路を備えている。抵抗Ｒ１の一端に電圧レベルＶ１が印加されており、抵抗Ｒ２の一端に電圧レベルＶ２が印加されている。【００９６】
第１出力段１４ａは、図１１と同様に、出力トランジスタＴｐ・Ｔｎにより構成されている。【００９７】
但し、第１出力段１４ａの出力トランジスタＴｐのＯＮ抵抗は、第２出力段１４ｂの抵抗Ｒ１の抵抗値よりも小さく、第１出力段１４ａの出力トランジスタＴｎのＯＮ抵抗は、第２出力段１４ｂの抵抗Ｒ２の抵抗値よりも小さく設定されている。上記ＯＮ抵抗は、トランジスタのチャネル幅Ｗやチャネル長Ｌを調節することにより実現することができる。これにより、第２出力段１４ｂの出力インピーダンスは、第１出力段１４ａの出力インピーダンスよりも大きくなっている。すなわち、第２出力段１４ｂは第１出力段１４ａよりも負荷駆動能力が小さい。【００９８】
第１出力段１４ａの出力はＣＯＭ出力端子１０２に接続されている。第１出力段１４ａは、出力トランジスタＴｐを介して正極性のコモン電極電位Ｖｃｏｍである電圧レベルＶ１を出力し、出力トランジスタＴｎを介して負極性のコモン電極電位Ｖｃｏｍである電圧レベルＶ２（Ｖ２＜Ｖ１）を出力する。【００９９】
第１スイッチＳＷｉは、第１出力段１４ａに対して第１出力段１４ａの入力側に直列に接続されており、制御信号ｓ４に従って第１出力段１４ａへのコモン極性反転信号の入力のＯＮ／ＯＦＦを行う。第２スイッチＳＷｊは第２出力段１４ｂに対して第２出力段１４ｂの出力側（抵抗Ｒ１と抵抗Ｒ２との接続点）に接続されており、制御信号ｓ４に従って、第２出力段１４ｂへのコモン極性反転信号の入力のＯＮ／ＯＦＦを行う。【０１００】
第１スイッチＳＷｉの第１出力段１４ａの入力側とは反対側の端子は、コモン極性反転信号の供給元に接続されている。【０１０１】
図８に、上記構成の出力段１４の動作波形を示す。【０１０２】
出力段１４は、入力されるコモン極性反転信号および制御信号ｓ４に従って、ＣＯＭ出力端子１０２にコモン電極電位Ｖｃｏｍを供給する。コモン極性反転信号（図示せず）はそれぞれが１水平期間に等しいＨｉｇｈ期間とＬｏｗ期間とからなり、Ｈｉｇｈ期間とＬｏｗ期間とのうちのいずれか一方の期間がコモン電極電位Ｖｃｏｍを正極性（電圧レベルＶ１）とする指示を行い、他方の期間がコモン電極電位Ｖｃｏｍを負極性（電圧レベルＶ２）とする指示を行う。【０１０３】
制御信号ｓ４は、コモン電極電位Ｖｃｏｍが正極性となる各水平期間の最初の期間（部分期間）ｔ１にＨｉｇｈレベルとなるとともに、当該水平期間の残りの期間（部分期間）ｔ２にＬｏｗレベルとなる波形を有しており、コモン電極電位Ｖｃｏｍが負極性となる各水平期間の最初の期間（部分期間）ｔ３にＨｉｇｈレベルとなるとともに、当該水平期間の残りの期間（部分期間）ｔ４にＬｏｗレベルとなる波形を有している。ここでｔ１＝ｔ３、ｔ２＝ｔ４である。第１スイッチＳＷａは、制御信号ｓ１がＬｏｗレベルであるときにＯＮ状態となり、制御信号ｓ１がＨｉｇｈレベルであるときにＯＦＦ状態となる。第２スイッチＳＷａは、制御信号ｓ１がＨｉｇｈレベルであるときにＯＮ状態となり、制御信号ｓ１がＬｏｗレベルであるときにＯＦＦ状態となる。【０１０４】
すなわち、期間ｔ１・ｔ３には第２スイッチＳＷｊがＯＮ状態になるとともに、第１スイッチＳＷｉがＯＦＦ状態になり、期間ｔ２・ｔ４には第１スイッチＳＷｉがＯＮ状態になるとともに、第２スイッチＳＷｊがＯＦＦ状態になる。これにより、期間ｔ１・ｔ３においては第２出力段１４ｂからの出力によってコモン電極電位Ｖｃｏｍが供給され、期間ｔ２・ｔ４においては第１出力段１４ａからの出力によってコモン電極電位Ｖｃｏｍが供給される。【０１０５】
このように、本実施例では、各極性のコモン電極電位の各供給期間は複数の部分期間に分割されている。【０１０６】
第２出力段１４ｂは第１出力段１１ａよりも出力インピーダンスが大きいことにより負荷駆動能力が小さいので、期間ｔ１・ｔ３におけるコモン電極電位Ｖｃｏｍの波形変化の時定数は、期間ｔ２・ｔ４におけるコモン電極電位Ｖｃｏｍの波形変化の時定数よりも大きい。従って、正極性のコモン電極電位Ｖｃｏｍを供給するときには、期間ｔ１で（Ｖ１−Ｖ２）×Ｒ２／（Ｒ１＋Ｒ２）以下となる途中の第１の電位レベルまで緩慢に立ち上がり、続いて期間ｔ２で迅速に立ち上がって最終電位レベルである電圧レベルＶ１に達する。正極性のコモン電極電位Ｖｃｏｍの立ち下がりは負極性のコモン電極電位Ｖｃｏｍの立ち上がりに等しく、期間ｔ３で（Ｖ１−Ｖ２）×Ｒ２／（Ｒ１＋Ｒ２）以上となる途中の第２の電位レベルまで緩慢に立ち下がって（負極性にとっては立ち上がって）、続いて期間ｔ４で迅速に立ち下がって（負極性にとっては立ち上がって）最終電位レベルである電圧レベルＶ２に達する。また、負極性のコモン電極電位Ｖｃｏｍの立ち下がりは正極性のコモン電極電位Ｖｃｏｍの立ち上がりに等しい。【０１０７】
この結果、コモン電極電流Ｉｃｏｍとして、コモン電極電位Ｖｃｏｍの極性が反転する遷移時間に含まれる期間ｔ１〜ｔ４の各期間の開始タイミングに、大きさが抑制されたピークを有する電流のみが流れるようになる。【０１０８】
従って、従来のような、コモン反転時の大きなコモン電極の充放電電流に起因した放射ノイズが発生することを抑制することができる。【０１０９】
なお、図８では、結果として、コモン電極電位Ｖｃｏｍの波形は、各極性のコモン電極電位Ｖｃｏｍの各供給期間において、コモン電極電位Ｖｃｏｍの極性反転が開始されてから、コモン電極電位Ｖｃｏｍの波形が、各極性のコモン電極電位Ｖｃｏｍの最終到達電位よりも反対極性側の途中の電位に一旦到達してから、上記途中の電位への到達時よりも大きい変化率で上記最終到達電位へ向かって立ち上がる。【０１１０】
また、絵素ＰＩＸのＴＦＴ１４をＯＮ状態にする走査信号Ｖｇは、期間ｔ２・ｔ４のそれぞれの期間内でのみＨｉｇｈレベルとなるパルス波形である。すなわち、絵素ＰＩＸへのデータ書き込み期間は、期間ｔ２・ｔ４のそれぞれの期間内に設定される。【０１１１】
本発明の表示装置は、上記課題を解決するために、コモン反転駆動を行う表示装置であって、コモン電極駆動回路の出力段は、それぞれがコモン電極に電圧を出力することが可能な複数のサブ出力段を備えており、各極性のコモン電極電位の各供給期間を複数の部分期間に分割して、各上記部分期間には上記部分期間ごとに選択された１つ以上のサブ出力段によって、コモン電極に電圧を供給し、各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さいことを特徴としている。【０１１２】
上記の発明によれば、コモン電極に流れる電流として、初期サブ出力段により電圧が出力される部分期間を含み、コモン電極電位の極性が反転する遷移時間に含まれる部分期間の各期間の開始タイミングに、大きさが抑制されたピークを有する電流のみが流れるようになる。【０１１３】
従って、従来のような、コモン反転時の大きなコモン電極の充放電電流に起因した放射ノイズが発生することを抑制することができる。【０１１４】
以上により、コモン電極電位の反転時の放射ノイズを有効に抑制することのできる表示装置を実現することができるという効果を奏する。【０１１５】
本発明の表示装置は、上記課題を解決するために、上記初期サブ出力段の全体の出力インピーダンスは、上記最終サブ出力段の全体の出力インピーダンスよりも大きいことを特徴としている。【０１１６】
上記の発明によれば、初期サブ出力段の全体の負荷駆動能力と、最終サブ出力段の全体の負荷駆動能力とを容易に設定することができるという効果を奏する。【０１１７】
本発明の表示装置は、上記課題を解決するために、上記初期サブ出力段および上記最終サブ出力段は、トランジスタを用いたプッシュプル動作により電圧を出力するサブ出力段を含んでいることを特徴としている。【０１１８】
上記の発明によれば、出力インピーダンスをトランジスタのＯＮ抵抗により設定することができるという効果を奏する。【０１１９】
本発明の表示装置は、上記課題を解決するために、各極性のコモン電極電位の各供給期間において、上記初期サブ出力段が出力する電圧の電源電圧は、上記最終到達電位よりも反対極性側に近いことを特徴としている。【０１２０】
上記の発明によれば、初期サブ出力段の全体の負荷駆動能力と、最終サブ出力段の全体の負荷駆動能力とを容易に設定することができるという効果を奏する。【０１２１】
本発明の表示装置は、上記課題を解決するために、上記初期サブ出力段は、抵抗により分圧された電圧を出力するサブ出力段を含んでおり、上記最終サブ出力段は、トランジスタを用いたプッシュプル動作により電圧を出力するサブ出力段を含んでいることを特徴としている。【０１２２】
上記の発明によれば、サブ出力段として、抵抗を用いた簡単な構成のものを採用することができるという効果を奏する。【０１２３】
本発明の表示装置の駆動方法は、上記課題を解決するために、コモン反転駆動を行う表示装置の駆動方法であって、それぞれがコモン電極に電圧を出力することが可能な複数のサブ出力段を備えており、各極性のコモン電極電位の各供給期間を複数の部分期間に分割して、各上記部分期間には上記部分期間ごとに選択された、コモン電極駆動回路の出力段に備えられる１つ以上のサブ出力段によって、コモン電極に電圧を供給し、各極性のコモン電極電位の最終到達電位を供給する上記部分期間に選択される１つ以上のサブ出力段からなる最終サブ出力段の全体の負荷駆動能力よりも、コモン電極電位の極性反転動作の開始を含む上記部分期間に選択される１つ以上のサブ出力段からなる初期サブ出力段の全体の負荷駆動能力のほうが小さいことを特徴としている。【０１２４】
上記の発明によれば、コモン電極に流れる電流として、初期サブ出力段により電圧が出力される部分期間を含み、コモン電極電位の極性が反転する遷移時間に含まれる部分期間の各期間の開始タイミングに、大きさが抑制されたピークを有する電流のみが流れるようになる。【０１２５】
従って、従来のような、コモン反転時の大きなコモン電極の充放電電流に起因した放射ノイズが発生することを抑制することができる。【０１２６】
以上により、コモン電極電位の反転時の放射ノイズを有効に抑制することのできる表示装置の駆動方法を実現することができるという効果を奏する。【０１２７】
本発明の表示装置の駆動方法は、上記課題を解決するために、上記初期サブ出力段の全体の出力インピーダンスは、上記最終サブ出力段の全体の出力インピーダンスよりも大きいことを特徴としている。【０１２８】
上記の発明によれば、初期サブ出力段の全体の負荷駆動能力と、最終サブ出力段の延滞の負荷駆動能力とを容易に設定することができるという効果を奏する。【０１２９】
本発明の表示装置の駆動方法は、上記課題を解決するために、上記初期サブ出力段および上記最終サブ出力段は、トランジスタを用いたプッシュプル動作により電圧を出力するサブ出力段を含んでいることを特徴としている。【０１３０】
上記の発明によれば、出力インピーダンスをトランジスタのＯＮ抵抗により設定することができるという効果を奏する。【０１３１】
本発明の表示装置の駆動方法は、上記課題を解決するために、各極性のコモン電極電位の各供給期間において、上記初期サブ出力段が出力する電圧の電源電圧は、上記最終到達電位よりも反対極性側に近いことを特徴としている。【０１３２】
上記の発明によれば、初期サブ出力段の全体の負荷駆動能力と、最終サブ出力段の全体の負荷駆動能力とを容易に設定することができるという効果を奏する。【０１３３】
本発明の表示装置の駆動方法は、上記課題を解決するために、上記初期サブ出力段は、抵抗により分圧された電圧を出力するサブ出力段を含んでおり、上記最終サブ出力段は、トランジスタを用いたプッシュプル動作により電圧を出力するサブ出力段を含んでいることを特徴としている。【０１３４】
上記の発明によれば、サブ出力段として、抵抗を用いた簡単な構成のものを採用することができるという効果を奏する。【０１３５】
本発明の表示装置は、上記課題を解決するために、コモン反転駆動を行う表示装置であって、各極性のコモン電極電位の各供給期間において、コモン電極電位の極性反転が開始されてから、コモン電極電位の波形が、各極性のコモン電極電位の最終到達電位よりも反対極性側の途中の電位に一旦到達してから、上記途中の電位への到達時よりも大きい変化率で上記最終到達電位へ向かって立ち上がることを特徴としている。【０１３６】
上記の発明によれば、コモン電極に流れる電流として、コモン電極電位の極性が反転する遷移時間に、大きさが抑制されたピークを有する電流のみが流れるようになる。【０１３７】
従って、従来のような、コモン反転時の大きなコモン電極の充放電電流に起因した放射ノイズが発生することを抑制することができる。【０１３８】
以上により、コモン電極電位の反転時の放射ノイズを有効に抑制することのできる表示装置を実現することができるという効果を奏する。【０１３９】
本発明の表示装置の駆動方法は、上記課題を解決するために、コモン反転駆動を行う表示装置の駆動方法であって、各極性のコモン電極電位の各供給期間において、コモン電極電位の極性反転が開始されてから、コモン電極電位を、各極性のコモン電極電位の最終到達電位よりも反対極性側の途中の電位に一旦到達してから、上記途中の電位への到達時よりも大きい変化率で上記最終到達電位へ向かって立ち上がる波形とすることを特徴としている。【０１４０】
上記の発明によれば、コモン電極に流れる電流として、コモン電極電位の極性が反転する遷移時間に、大きさが抑制されたピークを有する電流のみが流れるようになる。【０１４１】
従って、従来のような、コモン反転時の大きなコモン電極の充放電電流に起因した放射ノイズが発生することを抑制することができる。【０１４２】
以上により、コモン電極電位の反転時の放射ノイズを有効に抑制することのできる表示装置の駆動方法を実現することができるという効果を奏する。【０１４３】
本発明は上述した各実施形態に限定されるものではなく、各実施形態を組み合わせてもよく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４４】
本発明は、液晶表示装置を初めとする各種表示装置に好適に使用することができる。
【符号の説明】
【０１４５】
１            液晶表示装置（表示装置）
２            表示部
１１〜１４    出力段
１１ａ、１２ａ、１３ａ、１４ａ
第１出力段（サブ出力段、最終サブ出力段）
１１ｂ、１２ｂ、１４ｂ
第２出力段（サブ出力段、初期サブ出力段）
１３ｂ        第２出力段（サブ出力段）
１３ｃ        第３出力段（サブ出力段、初期サブ出力段）
１０３        コモン電極
ｔ１〜ｔ４    期間（部分期間）
Ｖｃｏｍ      コモン電極電位
【図１】
2010095313.tif 000003
【図２】
2010095313.tif 000004
【図３】
2010095313.tif 000005
【図４】
2010095313.tif 000006
【図５】
2010095313.tif 000007
【図６】
2010095313.tif 000008
【図７】
2010095313.tif 000009
【図８】
2010095313.tif 000010
【図９】
2010095313.tif 000011
【図１０】
2010095313.tif 000012
【図１１】
2010095313.tif 000013
【図１２】
2010095313.tif 000014
【図１３】
2010095313.tif 000015
【図１４】
2010095313.tif 000016
【図１５】
2010095313.tif 000017
【国際調査報告】
2010095313.tif 000018
2010095313.tif 000019
2010095313.tif 000020
2010095313.tif 000021